(57)【要約】【課題】パッドを安定した状態で便座上に配置し、人体が便座に直接接触しないよう阻隔して衛生の目的を達することができる、便座用衛生パッドを提供すること。【解決手段】本考案の便座用衛生パッドは、２つの対称なパッドから構成され、かつ前記パッドの一側に便座表面に貼付させる滑り止め部を設け、パッドの一端につまみ部を設けた。【選択図】図４
0003155397.tif 000002
【実用新案登録請求の範囲】
【請求項１】
便座用衛生パッドであって、主に、
２枚のパッドと、
前記２枚のパッドの表面上に設置された少なくとも２つの滑り止め部と、
前記２枚のパッドの一端にそれぞれ設置された２つのつまみ部と、
を含み、前記２枚のパッドを便座上に配置したとき、前記２枚のパッド表面に設けた複数の前記滑り止め部により、前記パッドを安定した状態で前記便座上に配置して構成したことを特徴とする、便座用衛生パッド。
【請求項２】
請求項１に記載の便座用衛生パッドであって、前記パッドがポリエステル繊維、合成布、人工布、不織布等の水洗い可能な材質から成ることを特徴とする、便座用衛生パッド。
【請求項３】
請求項１に記載の便座用衛生パッドであって、前記滑り止め部が繰り返し使用可能な粘着性材質から成り、前記粘着性材質が、５０％〜８０％のシロキサン（ｓｉｌｏｘａｎｅｓ）とシリコン（Ｓｉｌｉｃｏｎｅ）の混合物、２０％〜４０％のシリカゲル（Ｓｉｌｉｃａ  ｇｅｌ）及び１.５％〜２.５％の硫化剤ジクロロベンゾイル過酸化物等の成分を含むことを特徴とする、便座用衛生パッド。
【請求項４】
請求項１に記載の便座用衛生パッドであって、前記２枚のパッドの一端に設けた前記つまみ部が、前記パッドの使用完了後、前記つまみ部を持って前記パッドを取り外すために用いられるよう構成したことを特徴とする、便座用衛生パッド。
【請求項５】
請求項１に記載の便座用衛生パッドであって、前記パッドの一側に収容ポケットを設け、前記パッドを巻いてその中に収納できることを特徴とする、便座用衛生パッド。
【考案の詳細な説明】
【技術分野】
【０００１】
本考案は便座用衛生パッドに関し、特に、便座上に安定した状態で配置でき、かつ収納が容易な便座用衛生パッドに関するものである。
【背景技術】
【０００２】
公共エリアのトイレ内には腰掛け式便器が設置されているが、使用者が多く、使用回数も非常に頻繁であるため、きわめて容易に便座上に細菌が繁殖したり、埃や汚れが付着したり、使用者の排泄物が付着したりする。使用時には人体の臀部の肌を便座に接触させる必要があるため、使用者の心理に畏縮や排斥感を生んでしまう。このため、上述の欠点と問題を解決すべく、一般的に使用されている衛生シート１は、図１と図２に示すように、主に便座の清潔と衛生を考慮し、使用前にまず衛生シート１を便座上に配置し、衛生シート１の阻隔によって人体臀部の肌が直接便座に接触しないようにしている。しかしながら、衛生シート１はほとんどが紙の材質をカットして成るため、配置時に安定した状態で便座上に位置決めできず、まだ使用していないのに衛生シートが滑り落ちたり、落下したりしてしまうことがよくあり、確実に隔離と衛生の効果を達することができない。さらに、衛生シート１は通常１回使用したら捨てなければならないため、常に新しい衛生シート１を補充する必要があるほか、使い捨ては環境保護に反する。
【０００３】
このため、いかに上述の問題を排除するかが、本考案の考案者が解決を図る技術的問題点である。
【考案の概要】
【考案が解決しようとする課題】
【０００４】
本考案は、安定した状態で便座上に配置でき、かつ収納が容易な便座用衛生パッドを提供する。
【０００５】
本考案の第１の目的は、本考案の衛生パッドは主に２枚の対称なパッドから構成され、そのうち、２枚のパッドの一側面上に少なくとも１つの滑り止め部がそれぞれ設けられ、これにより、パッドを便座上に設置したとき、一側面上の滑り止め部を便座表面に貼付させ、パッドを安定した状態で便座上に配置し、人体が直接便座に接触することがないよう確実に阻隔し、衛生の目的を達することができる、便座用衛生パッドを提供することにある。
【０００６】
本考案の第２の目的は、衛生パッドの２枚のパッドが合成布、人工布、不織布等の水洗い可能な材質から成り、滑り止め部が繰り返し使用可能な粘着性材質から成るため、衛生パッドを使用後に洗浄し、繰り返し使用するという目的を達することができる、便座用衛生パッドを提供することにある。
【０００７】
本考案の第３の目的は、パッドの一側に収容ポケットを設け、パッドを巻いて該収容ポケット内に収容し、携帯上の利便性と収納に便利であるという目的を達することができる、便座用衛生パッドを提供することにある。
【０００８】
本考案の第４の目的は、２枚のパッドの一端につまみ部をそれぞれ設け、主にパッドを使用した後、該つまみ部を持ってパッドを取り外し、手でパッドに触れてパッド上の汚れや異物に触れ、手を汚すことがないようにするという目的を達することができる、便座用衛生パッドを提供することにある。
【課題を解決するための手段】
【０００９】
本願の第１考案は、便座用衛生パッドであって、主に、２枚のパッドと、前記２枚のパッドの表面上に設置された少なくとも２つの滑り止め部と、前記２枚のパッドの一端にそれぞれ設置された２つのつまみ部と、を含み、前記２枚のパッドを便座上に配置したとき、前記２枚のパッド表面に設けた複数の前記滑り止め部により、前記パッドを安定した状態で前記便座上に配置し、確実に人体が便座に直接接触しないよう阻隔でき、衛生の目的を達するよう構成したことを特徴とする、便座用衛生パッドを提供する。
本願の第２考案は、前記パッドがポリエステル繊維、合成布、人工布、不織布等の水洗い可能な材質から成ることを特徴とする、前記第１考案の便座用衛生パッドを提供する。
本願の第３考案は、前記滑り止め部が繰り返し使用可能な粘着性材質から成り、前記粘着性材質が、５０％〜８０％のシロキサン（ｓｉｌｏｘａｎｅｓ）とシリコン（Ｓｉｌｉｃｏｎｅ）の混合物、２０％〜４０％のシリカゲル（Ｓｉｌｉｃａ  ｇｅｌ）及び１.５％〜２.５％の硫化剤ジクロロベンゾイル過酸化物等の成分を含むことを特徴とする、前記第１考案の便座用衛生パッドを提供する。
本願の第４考案は、前記２枚のパッドの一端に設けた前記つまみ部が、主に前記パッドの使用完了後、前記つまみ部を持って前記パッドを取り外すために用いられ、手が前記パッド上の汚れに触れないよう構成したことを特徴とする、前記第１考案の便座用衛生パッドを提供する。
本願の第５考案は、前記パッドの一側に収容ポケットを設け、前記パッドを巻いてその中に収納できることを特徴とする、前記第１考案の便座用衛生パッドを提供する。
【図面の簡単な説明】
【００１０】
【図１】従来品の立体外観図である。
【図２】従来品の使用を示す概略図である。
【図３】本考案の立体外観図である。
【図４】本考案の局部概略図である。
【図５】本考案の最良の実施例図１である。
【図６】本考案の最良の実施例図２である。
【図７】本考案の最良の実施例図３である。
【図８】本考案の別の実施例の立体外観図である。
【考案を実施するための形態】
【００１１】
図３、図４、図５、図６、図７に本考案の立体外観図、局部概略図、最良の実施例図を示す。これらの図からはっきりと分かるように、衛生パッド２は主に２枚の対称なパッド２１から構成され、そのうち、パッド２１は主にポリエステル繊維、合成布、人工布、不織布等の水洗い可能な材質から成り、２枚のパッド２１の一側に少なくとも１つの繰り返し使用が可能な粘着性材質から成る滑り止め部２２が設けられ、粘着性材質は５０％〜８０％のシロキサン（ｓｉｌｏｘａｎｅｓ）とシリコン（ｓｉｌｉｃｏｎｅ）の混合物、２０％〜４０％のシリカゲル（ｓｉｌｉｃａ  ｇｅｌ）及び１.５％〜２.５％の硫化剤ジクロロベンゾイル過酸化物等の成分を含み、かつそのうち１つのパッド２１の一端に収容ポケット２３が設けられ、また２枚のパッド２１の一端にそれぞれつまみ部２４が設けられる。衛生パッド２は使用時に、まず２枚のパッド２１を便座３上に配置し、パッド２１一側の滑り止め部２２を便座３の表面に貼付させる。このため、人が便座３に腰掛けるとき、衛生パッド２で人体が便座３に直接接触するのを阻隔し、人体に便座３上の汚れや細菌が付着するのを回避でき、衛生の目的を達することができる。かつ、滑り止め部２２の設計により、２枚のパッド２１をしっかりと便座３上に配置でき、外力によって外れ、落下してしまいにくい。パッド２１の使用完了後、パッド２１上に汚れや異物が付着している可能性があるため、２枚のパッド２１の一端に設けられたつまみ部２４を利用し、２枚のパッド２１を便座３上から取り外すことができ、これにより手にパッド２１上の汚れや異物が付着するのを回避し、衛生の目的を達することができる。また、そのうち１枚のパッド２１上には別途収容ポケット２３が設けられ、２枚のパッド２１を便座３上から取り外した後、２枚のパッド２１を相互に重ねて巻き、前記収容ポケット２３内に収納し、使用者の携帯上の利便性と収納の目的を達することができる。
【００１２】
図８に本考案の別の実施例の概略図を示す。この図からはっきりと分かるように、パッド２１上の滑り止め部２２は、局部、複数本、１本等の方式で設置でき、パッド２１をしっかりと便座上に貼付させる。
【００１３】
上述の構造に基づき、本考案の衛生パッド２は従来一般的に使用されている便座用衛生シートが、安定した状態で便座上に位置決めできず、かつ使用後は捨てる必要があるのに比べ、本考案の衛生パッド２のパッド２１はポリエステル繊維、合成布、人工布、不織布等の水洗い可能な材質から成り、その滑り止め部２２は繰り返し使用が可能な粘着性材質から成るため、使用後直接水洗いの方式で洗浄し、繰り返し使用することができ、環境保護の目的を達することができる。さらに、パッド２１の一端のつまみ部２４と収容ポケット２３により、手を汚さずに２枚のパッド２１を簡単に取り外すことができ、また重ねて巻いて前記収容ポケット２３内に収容できるため、使用時の携帯、収納、衛生面の利便性という目的を達することができる。
【符号の説明】
【００１４】
従来部分：
１        衛生シート
本考案：
２        衛生パッド
２１      パッド
２２      滑り止め部
２３      収容ポケット
２４      つまみ部
３        便座
【図１】
0003155397.tif 000003
【図２】
0003155397.tif 000004
【図３】
0003155397.tif 000005
【図４】
0003155397.tif 000006
【図５】
0003155397.tif 000007
【図６】
0003155397.tif 000008
【図７】
0003155397.tif 000009
【図８】
0003155397.tif 000010